(57)【要約】【課題】意外性の要素を含めてさらに趣向を凝らしたランプの置物を提供する。【解決手段】このランプの置物１は、一部１２が光を比較的通しやすく、底面１４を含む残部１３が光を比較的通しにくいランプシェード１０と、ランプシェード１０の残部１３に内蔵され、ランプシェード１０の一部１２に向けて、その発光部２１から光を発する光源２０とを備え、光源２０のスイッチ２３をランプシェード１０の底面１４に配しており、ランプシェード１０が押圧される都度、スイッチ２３がオンオフ動作することにより、光源２０の発光部２１が点灯又は消灯するようになっている。【選択図】図１
0003206716.tif 000002
【実用新案登録請求の範囲】
【請求項１】
一部が光を比較的通しやすく、底面を含む残部が光を比較的通しにくいランプシェードと、前記ランプシェードの残部に内蔵され、前記ランプシェードの一部に向けて光を発する光源とを備え、
前記光源のスイッチを前記ランプシェードの底面に配しており、前記ランプシェードが押圧される都度、前記スイッチがオンオフ動作することにより、前記光源が点灯又は消灯することを特徴とするランプの置物。
【請求項２】
前記光源の電源は単三電池であることを特徴とする請求項１記載のランプの置物。
【請求項３】
前記ランプシェードは食用のパンを加工したものであることを特徴とする請求項１又は２記載のランプの置物。
【考案の詳細な説明】
【技術分野】
【０００１】
本考案は、ランプの置物に関し、例えばムードランプに好適である。
【背景技術】
【０００２】
従来のムードランプは、ガラス、陶磁器、合成樹脂などでシェードを形成している硬い感じのするものや、紙や紙に似せた合成樹脂板などでの平板の組み合わせをもってランプシェードを形成しているものがほとんどであった。
【０００３】
したがって、ランプシェードの具体的な形状表現によって柔らかい雰囲気を作ることには限界があった。
【０００４】
また、間接照明や補助照明の役割がほとんどで、卓上のムードランプにしても、ランプシェードの形状を内側から判別させる程度に押さえる目的のものはなかった。
【０００５】
そこで、例えば特許文献１には、照明器具としての明るさを排除し、ランプシェードの形状によって情緒を表現し、ほのかな灯りのムードをかもし出そうとして、光を通す紙粘土を使用して、好みの形状のランプシェードを作り、中には発熱が小さく、光の強度の比較的弱い光源をセットすることで、置物風のランプを構成して解決する。これにより、明るい所では飾りの置物として楽しみ、暗い所では光を灯してランプの置物として、幻想的な美しさで心を和ませることができる、と記載されている。
【考案の概要】
【考案が解決しようとする課題】
【０００６】
しかしながら、上記特許文献１では、いずれにせよ置物であることが一目瞭然であって、意外性（サプライズ）に欠けていた。したがって、この意外性の要素を含めてさらに趣向を凝らす余地があった。
【０００７】
本考案は、このような事情に鑑みてなされたもので、意外性の要素を含めてさらに趣向を凝らしたランプの置物を提供することを目的とする。
【課題を解決するための手段】
【０００８】
本考案は、一部が光を比較的通しやすく、底面を含む残部が光を比較的通しにくいランプシェードと、前記ランプシェードの残部に内蔵されて前記ランプシェードの一部に向けて光を発する光源とを備え、前記光源のスイッチを前記ランプシェードの底面に配しており、前記ランプシェードが押圧される都度、前記スイッチがオンオフ動作することにより、前記光源が点灯又は消灯することを特徴とするランプの置物に係るものである。
【０００９】
本考案によれば、一部が光を比較的通しやすく、底面を含む残部が光を比較的通しにくいランプシェードと、前記ランプシェードの残部に内蔵されて前記ランプシェードの一部に向けて光を発する光源とを備え、前記光源のスイッチを前記ランプシェードの底面に配しており、前記ランプシェードが押圧される都度、前記スイッチがオンオフ動作することにより、前記光源が点灯又は消灯するので、ランプの置物であることに気付かずに、なにげなく持ち上げて置くと、いきなり点灯し、また持ち上げて再び置くと消灯するといった、意外性（サプライズ）の要素を含めて、従来例にはなかった、まったく新しい趣向性をかもし出すことができる。したがって、部屋の中のムードランプとしてのみならず、少し気の利いた贈答品としても、重宝されうる。
【００１０】
請求項２記載の考案のように、前記光源の電源は単三電池であることが好ましい。
【００１１】
請求項２記載の考案によれば、前記光源の電源は単三電池であるので、光源に接続する電源コードや充電用の台などが一切不要となり、趣向性を阻害することがない。また、ボタン電池を使用する場合と比べて、安価であり、入手しやすく、廃棄もしやすいといったメリットがある。
【００１２】
請求項３記載の考案のように、前記ランプシェードは食用のパンを加工したものであることが好ましい。
【００１３】
請求項３記載の考案によれば、前記ランプシェードは食用のパンを加工したものであるので、さらなる意外性と趣向性とをかもし出すことができる。
【考案の効果】
【００１４】
本考案によれば、一部が光を比較的通しやすく、底面を含む残部が光を比較的通しにくいランプシェードと、前記ランプシェードの残部に内蔵されて前記ランプシェードの一部に向けて光を発する光源とを備え、前記光源のスイッチを前記ランプシェードの底面に配しており、前記ランプシェードが押圧される都度、前記スイッチがオンオフ動作することにより、前記光源が点灯又は消灯するので、ランプの置物であることに気付かずに、なにげなく持ち上げて置くと、いきなり点灯し、また持ち上げて再び置くと消灯するといった、意外性（サプライズ）の要素を含めて、従来例にはなかった、まったく新しい趣向性をかもし出すことができる。したがって、部屋の中のムードランプとしてのみならず、少し気の利いた贈答品としても、重宝されうる。
【図面の簡単な説明】
【００１５】
【図１】本考案の一実施形態に係るランプの置物を部分的に切り欠いた正面図である。
【図２】本考案の一実施形態に係るランプの置物の底面図である。
【考案を実施するための形態】
【００１６】
図１は本考案の一実施形態に係るランプの置物１を部分的に切り欠いた正面図、図２はそのランプの置物１の底面図である。図１，図２に示すように、本考案の一実施形態に係るランプの置物１は、上部の薄肉部分（一部に相当する。）１２が光を比較的通しやすく、底面１４を含む下部の厚肉部分（残部に相当する。）１３が光を比較的通しにくいランプシェード１０と、ランプシェード１０の厚肉部分１３に内蔵され、ランプシェード１０の薄肉部分１２に向けて、その発光部２１から光を発する光源２０とを備え、光源２０のスイッチ２３をランプシェード１０の底面１４に配しており、ランプシェード１０が押圧される都度、スイッチ２３がオンオフ動作することにより、発光部２１が点灯又は消灯するものである。
【００１７】
ランプシェード１０は、食用のパンを素材としている。このパンの中身をくりぬいて、一週間ほど乾燥させる。乾燥したパンを樹脂でコーティングしていく。樹脂でコーティングしたパンに特殊なマット加工を施して、もとのパンに戻す。これらの加工により、まるで焼きたてのように、おいしそうになる。
【００１８】
例えば図１，図２に示すような、クッペと呼ばれる短いフランスパンの場合は、通常は、上部が光を比較的通しやすい薄肉部分１２となるとともに、底面１４を含む下部が光を比較的通しにくい厚肉部分１３となっている。また、バゲットと呼ばれる長いフランスパンの場合は、上部が薄肉部分１２と厚肉部分１３とで交互になっており、底面１４を含む下部が厚肉部分１３となっている。さらに、クロワッサンと呼ばれる三日月状のフランスパンの場合は、上部から下部にかけて薄肉部分１２と厚肉部分１３とが交互になっており、底面１４が厚肉部分１３だけとなっている。
【００１９】
光源２０は、主に、発光部２１と、電池２２と、スイッチ２３とからなっている。ここで、発光部２１としては、発熱量と消費電力とが少ない、ＬＥＤ（発光ダイオード）を使用する。これにより、光源２０がランプシェード１０の厚肉部分１３に内蔵されると、外部から容易には見えなくなり、趣向性を損なうおそれがなくなるとともに、発光部２１が比較的長時間にわたって点灯可能となる。
【００２０】
電池２２としては、マンガン電池やアルカリ電池などの単三電池１本を、電池ボックス２２１の底蓋２２２をあけて、そこから取替可能に装填している。これにより、光源２０の発光部２１などに接続する電源コードや充電用の台などが一切不要となり、趣向性を阻害することがなくなる。また、ボタン電池を使用する場合と比べて、単三電池は安価であり、入手しやすく、廃棄もしやすいといったメリットがある。
【００２１】
スイッチ２３としては、電池ボックス２２１の側面に配置されたロッド２３１の上端をバネ２３２で弾性的に支持し、その下端をランプシェード１０の底面１４から出没自在に突出させている、いわゆる押しボタン式のものを使用している。これにより、ランプシェード１０が押圧される都度、スイッチ２３がオンオフ動作することにより、発光部２１が点灯又は消灯するようになっているが、バネの弾性係数を調整することにより、ランプの置物１を一旦持ち上げて置くと自動的に点灯し、ランプの置物１を再び持ち上げて置くと自動的に消灯するようになる。
【００２２】
以上説明したように、本実施形態に係るランプの置物１によれば、上部の薄肉部分１２が光を比較的通しやすく、底面１４を含む下部の厚肉部分１３が光を比較的通しにくいランプシェード１０と、ランプシェード１０の下部１３に内蔵され、そのランプシェード１０の上部１２に向けて、その発光部２１から光を発する光源２０とを備え、光源２０のスイッチ２３をランプシェード１０の底面１４に配しており、ランプシェード１０が押圧される都度、スイッチ２３がオンオフ動作することにより、光源２０の発光部２１が点灯又は消灯するので、ランプの置物１であることに気付かずに、なにげなく持ち上げて置くと、いきなり点灯し、また持ち上げて再び置くと消灯するといった、意外性（サプライズ）の要素を含めて、従来例にはなかった、まったく新しい趣向性をかもし出すことができる。したがって、部屋の中のムードランプとしてのみならず、少し気の利いた贈答品としても、重宝されうる。
【００２３】
なお、上記実施形態では、電源２２として、単三電池を１本だけ使用しているが、複数本の単三電池など数量や容量の異なるものを使用することもできる。さらには、高価であるものの、小さなランプの置物１内への収納性を優先して、よりコンパクトなボタン電池を使用することもできる。
【００２４】
また、上記実施形態では、スイッチ２３として、押しボタン式のものを使用しているが、これに代えて、他の種類の接触式センサ或いは非接触式センサを使用することもできる。さらには、意外性を減ずるものの、より安価である点を考慮して、手動操作式のスライドスイッチを使用することもできる。
【００２５】
また、上記実施形態では、ランプシェード１０として、食用のパンを素材にしているが、これに代えて、果物や野菜などあらゆる素材を利用してもよいし、さらには、それらを模した合成樹脂製のものを使用してもよい。
【００２６】
また、上記実施形態では、フランスパンのクッペを例にしているので、ランプシェード１０の上部が薄肉部分１２で、その底面１４を含む下部が厚肉部分１３であるものとしているが、その他のパンなどを素材とした場合には、一部が薄肉部分１２であり、底面１４を含む残部が厚肉部分１３であるとしてもよい。
【００２７】
また、上記実施形態では、ランプの置物１を一旦持ち上げて置くと自動的に点灯し、ランプの置物１を再び持ち上げて置くと自動的に消灯するように、スイッチ２３のバネ２３２の弾性係数を調整しているが、その弾性係数を大きめに調整するにより、単に置いただけでは、点灯又は消灯しないようにすることもできる。
【符号の説明】
【００２８】
１  ランプの置物
１０  ランプシェード
１２  薄肉部分（一部に相当する。）
１３  厚肉部分（残部に相当する。）
１４  底面
２０  光源
２１  発光部
２２  電池
２２１  電池ケース
２２２  底蓋
２３  スイッチ
２３１  ロッド
２３２  バネ
【先行技術文献】
【特許文献】
【００２９】
【特許文献１】登録実用新案公報第３０８０５６７号公報
【図１】
0003206716.tif 000003
【図２】
0003206716.tif 000004